(57)【要約】      （修正有）【課題】ターゲット捜査又は多角度からの照明が必要とされる仕事等に適合し、特に警備や消防、軍隊等危険性のある仕事に有効であり、更に夜間作戦や容疑者逮捕に有益な携帯照明を提供する。【解決手段】電源回路を備えた本体１と、本体の一端に設けられた第１照明部２と前記本体に連接部を介して回動自在に枢着された可動ハンドル１２と、前記可動ハンドルの一端に設けられた第２照明部１９とを備えた照明装置。【選択図】図２
0003113144.tif 000002
【実用新案登録請求の範囲】
【請求項１】
内部空間が形成された本体と、
前記内部空間に設けられた電源回路と
前記内部空間の一端に設けられ、前記電源回路に接続された第１照明部と、
前記本体に形成された固定ハンドルと、
前記本体に連接部を介して回動自在に枢着された可動ハンドルとを備えたことを特徴とする照明装置。
【請求項２】
前記前記可動ハンドルの一端に第２照明部が設けられ、前記連接部には、前記可動ハンドルの回動を制御する回動制御手段が設けられていることを特徴とする請求項１に記載の照明装置。
【請求項３】
前記内部空間の他端に、前記電源回路に接続され点滅信号を発信可能な電球を有する第３照明部を更に備えたことを特徴とする請求項１又は２に記載の照明装置。
【請求項４】
前記可動ハンドルの中央部に、冷陰極ランプを有する第４照明部を更に備えたことを特徴とする請求項１乃至３のいずれか１項に記載の照明装置。
【請求項５】
前記回動制御手段は、前記可動ハンドル端部に形成された連結部と、前記本体の外側に形成された突出部と、前記突出部に設けられたハンドル切替手段とを備え、前記連結部は前記可動ハンドルを前記突出部に回動可能に連結し、前記ハンドル切替手段は、前記突出部の片側に形成された方形溝と、前記方形溝に対応する方形状のフランジを有する切替部材と、前記切替部材の方形状フランジを前記方形溝に対して進退可能に付勢するバネ部材とを備えていることを特徴とする請求項２に記載の照明装置。
【請求項６】
前記第２照明部は前記可動ハンドルに対して揺動可能に取り付けられていることを特徴とする請求項２に記載の照明装置。
【請求項７】
外部電源と接続可能なコンセントが更に設けられ、前記コンセントは前記電源回路と電気的に接続されていることを特徴とする請求項１乃至６のいずれか１項に記載の照明装置。
【請求項８】
前記本体の尾端部に排気孔と該排気孔を塞ぐ柔軟性材料で形成された蓋が設けられていることを特徴とする請求項１乃至７のいずれか１項に記載の照明装置。
【考案の詳細な説明】
【技術分野】
【０００１】
本考案は照明装置に関し、特に電池又は商用電源を電源とする携帯照明装置に関する。
【背景技術】
【０００２】
従来、携帯照明装置は警察、消防等の業務で広く使われ、用途に合わせて、何種類もの把持方法や照明方法がある。
【考案の開示】
【考案が解決しようとする課題】
【０００３】
しかし、現在使用されている照明装置の多くは、ハンドルが装置本体に固定されているため、使用者に多様な把持方法を提供することができず、使い勝手が悪かった。そこで、使用者が作業する空間位置及び作業内容に適応できる多様な把持方法を備えた照明装置、また使用者が作業しやすくするために、一時的に使用者から離すことができる照明装置が求められている。関係する技術分野の技術者達は、このような問題を解決できる照明装置を提供する努力をおこなってきた。
【０００４】
本考案の目的は、使用者が選択的に使用できる複数の把持形態及び設置形態を備えた照明装置を提供することである。
【課題を解決するための手段】
【０００５】
上記目的を達成するために、本考案の照明装置は、内部空間が形成された本体と、前記内部空間に設けられた電源回路と、前記内部空間の一端に設けられ前記電源回路に接続された第１照明部と、前記本体に形成された固定ハンドルと、前記本体に連接部を介して回動自在に枢着された可動ハンドルとを備えている。
【０００６】
本考案の照明装置は、本体の一端に第１照明部を設け、該本体の適宜箇所に固定ハンドルと該本体に回動自在な可動ハンドルを設けている。可動ハンドルは本体に対して回動可能であるので、使用者の所望の位置に位置決めして、照明装置を使用者の使用状況に適した状態で使用することができる。例えば、可動ハンドルを本体と並行な位置にして、固定ハンドルで照明装置を把持することができ、また、可動ハンドルを本体に対して略垂直な位置にして、垂直方向に伸びた可動ハンドルを把持して、照明器具を高く差し上げることもできる。
【０００７】
前記可動ハンドルの一端に第２照明部を設け、前記連接部に前記可動ハンドルの回動を制御する回動制御手段を設けるようにしてもよい。このような構造によって、本体の端部に設けられた第１照明部だけでなく、可動ハンドルの端部に設けられた第２照明部によっても照明できるので、使用状況に応じた照明方向の選択幅を広げることができる。また回動制御手段によって、可動ハンドルの位置を確実に設定保持することができる。
【０００８】
また、前記内部空間の他端に、前記電源回路に接続され点滅信号を発信可能な電球を有する第３照明部を更に設けてもよい。さらに、前記可動ハンドルの中央部に、冷陰極ランプを有する第４照明部を設けてもよい。これによって、使用状況に応じた照明方向及び照明方法の選択幅を広げることができる。
【０００９】
上記のように複数の照明部を設けることにより、異なった輝度と時間で、光及び信号を有効に発生させることができる。すなわち、警察、消防、応急手当、災害救助等の作業での実際の経験から、使用者は、場所、位置及び地勢の違いに応じて、それぞれ異なった輝度の光及び信号を発生させることができる照明装置を求めているが、このような要求に応えることができる。
【００１０】
前記回動制御手段は、前記可動ハンドル端部に形成された連結部と、前記本体の外側に形成された突出部と、前記突出部に設けられたハンドル切替手段とを備え、前記連結部は前記可動ハンドルを前記突出部に回動可能に連結し、前記ハンドル切替手段は、前記突出部の片側に形成された方形溝と、前記方形溝に対応する方形状のフランジを有する切替部材と、前記切替部材の方形状フランジを前記方形溝に対して進退可能に付勢するバネ部材とを備えることが好ましい。
【００１１】
前記ハンドル切替部材の方形状フランジが前記バネ部材によって前記方形溝に係合した状態で前記可動ハンドルの位置が保持され、前記ハンドル切替部材が前記バネ部材の付勢力に抗して、前記方形状フランジが前記方形溝から離脱するように移動されることによって、前記可動ハンドルは回動可能となり、別の位置に変更することができる。可動ハンドルの位置が、バネ、フランジ、溝という簡単な構造で、変更でき、また設定位置を保持することができる。
【００１２】
前記第２照明部は前記可動ハンドルに対して揺動可能に取り付けるのが好ましい。照明部が揺動できるので、照明方向を変更を容易にすることができる。
【００１３】
外部電源と接続可能なコンセントが更に設けられ、前記コンセントは前記電源回路と電気的に接続するのが好ましい。外部電源を利用できるようにして、電池の消費状況を気にすることなく、所望の時間、照明することができる。
【００１４】
さらに、前記本体の尾端部に排気孔を形成してもよい。排気孔を形成することによって、長時間の使用で発生する本体内部の熱を外部に逃がすことができる。
【考案の効果】
【００１５】
本考案の照明装置によると、本体に対して可動ハンドルを使用者の所望の位置に位置決めして、照明装置を使用者の使用状況に適した状態で使用することができる。
【考案を実施するための最良の形態】
【００１６】
以下、本考案について図面を参照しながら詳細に説明する。添付図面は本考案の一実施例を示し、各方向からの図を詳細に示している。この実施例の内部構成は、図２の断面図、図１３の分解斜視図及び他の図から分かる。
【００１７】
強力な光源を備えた携帯照明装置は、略長方柱構造の本体１（円柱形等の他の形状であってもよい）を備え、本体１には内部空間が形成され、その一端に第１照明部が設けられている。第１照明部は、ランプ２、略放物面状の反射部材３とガラス又は他の透明材料で形成された前板４を備えている。密封リング５は、前板４の内側で環状帯６の内側にある反射部材３の端面を密封している。前記環状帯６の外面には軟質性材料で形成されたカバー部材７が取り付けられている。前記環状帯６は、本体１の前部に取外し可能に取り付けられている。本体１の尾端には排気孔３２が形成されている。排気孔３２には軟質性材料で形成された排気蓋３３が取り付けられ、本体内で生じた暖空気を排出すると共に、本体内に水が進入するのを防いでいる。
【００１８】
ランプ２は、照射可能距離５０００ｍの強力なランプを備えている。このランプは本体１内に設けられた電源８から電流が供給される。電源８は電源リード線を介して本体１内に設けられた電源回路９に接続されている。また、コンセント１０と切替スイッチ１１が、ランプに接続されている。ランプには電池又は可充電電池から電流が供給されるか、外部電源用コンセント１０に外部電源を直接つないで、電流が供給される。
【００１９】
回動可能な可動ハンドル１２は、突出部１４を介して本体１に取り付けられている。このハンドル１２は、手を握りやすくするために、長方柱形又は円柱形に形成されている。その一端に円形状の連結部１３を有し、連結部１３は本体１の外側に形成された突出部１４に枢着され、突出部１４を中心に回転可能である。突出部１４の端部には、ハンドル切替部材１５が設けられ、バネ１６がハンドル切替部材１５の内部に設けられている。前記本体１の上部には、逆Ｕ字状の別のハンドル２９が設けられ、その両端部は本体１に固着されている。本実施例では、ハンドル１２がハンドル２９の上面に接する位置を、第１位置と称する。図８のように、ハンドル１２がハンドル２９の上面から離れて、突出部１４を中心に回動して、ハンドル１２の中心軸線が本体１の中心軸線と略垂直になる位置を、第２位置と称する。
【００２０】
本考案では、図１に示す第１位置と図８に示す第２位置の間で、ハンドル１２を回動させて、所望の角度で停止させることができる。図１４に示すように、ハンドル切替部材１５の方形状のフランジ１８は、突出部１４の一側に形成された方形溝１７に挿入され、その反対面はハンドル１２の内壁に形成された方形溝（図示せず）に嵌合している。この場合、ハンドル１２は突出部１４に対して回動不能状態にある。これによって、ハンドル１２は第１位置に維持される。ハンドル切替部材１５が外力を受けて押し込まれと、ハンドル切替部材１５のフランジ１８は突出部１４の方形溝１７から離脱し、ハンドル１２は回動可能になり、第１位置から第２位置へ回動することができる。そして、外力がなくなると、ハンドル切替部材１５に設けられたバネ１６により、ハンドル切替部材１５が押し戻され、ハンドル切替部材１５のフランジ１８も突出部１４の方形溝１７に係合して、ハンドル１２は回動不能になる。これによって、ハンドル１２は第２位置に固定される。さらに、ハンドル１２内部には、切替スイッチボタン３４と軟質性材料で形成された蓋３５が設けられている。
【００２１】
第３照明部は緊急警報点滅光発生部であり、３００時間連続して点滅可能な緊急警報点滅ランプを備えている。緊急警報点滅照明部は、本体１の尾端中央に設けられ、電源回路に接続されている。本体１の尾端にガラス又は他の透明材料で形成されたカバー３１が設けられ、このカバー３１の内部に非常に強力なランプ３０が設けられ、カバー３１は複数の色を配色してもよい。使用者は救助を求めるか又は警報を出す場合、ランプ３０はカバー３１越しに、異なった色の光を点滅させ救助要求又は警報の信号を、３００時間連続して発生させることができる。
【００２２】
第２照明部１９、即ち第２の投光部は、ハンドル１２の尾端に連接され、ハンドル１２に対して回動可能である。図１５に示すように、連結部２０が第２照明部１９の一端に設けられ、弾性環状固定部材を備えている。固定部材は、ハンドル１２の連結軸２２に取り付けられ、ハンドル１２の連結軸２２と環状固定部材２１は、回動可能な連結部２０内に形成されたラチェット歯２３に係合している。環状固定部材２１の外周表面から少なくとも一つの係合歯２４が突出し、選択可能にラチェット歯２３と係合するようになっている。ハンドル１２に対する第２照明部１９の回動位置を固定するため、ラチェット歯２３が環状固定部材２１の外周面に均等になるように形成されている。連結部２０は、第２照明部１９を連結軸２２を介してハンドル１２と連接するとともに、連結軸２２を中心に回動できるようにしているので、第２照明部１９のハンドル１２に対する傾斜角を調節することができる。このように、第２照明部１９のハンドル１２に対する照明角度を調節可能にしている。照明時間は連続２００時間である。
【００２３】
第２照明部１９は円柱形状の構造が好ましい。第２照明部１９内には、ランプ２５と、略放物面状の反射部材２６と、ガラス又は他の透明材料で形成された前板２７を備えている。密封リング２８で、前板２７と反射部材２６の端面とを密封し、環状カバーが着脱可能に第２照明部１９の前部に取り付けられている。
【００２４】
第４照明部はハンドル１２内の上部に設けられた、冷陰極ランプ部である。ガラス又は他の透明な材料で形成された透明部材３６を備え、ランプ３８は管フレーム３７に固定され、冷陰極ランプを形成している。この冷陰極ランプの寿命は１５０００時間であり、室内又は室外の短距離照明に用いられる。
【００２５】
第２照明部１９のランプ２５と第４照明部のランプ３８は、リード線を介して、電源８から電流が供給される。
【００２６】
上述の４つの照明部は、同時に点灯させることも、個別に点灯させることもできる。  
図１に示すように、ハンドル１２が第１位置にある時、本考案の照明装置は懐中電灯として使用でき、容易に手で持ち運びでき、非常に便利である。図８に示すように、ハンドル１２が第２位置にある時は、本考案の照明装置は懐中電灯として使え、且つ捜索或いは多角度照明に用いる場合に、非常に使い勝手がよく、特に警備や消防、軍隊等の危険な業務に従事する人間に有効である。
【００２７】
本考案の強力な光源を備えた携帯照明装置のハンドル１２の尾端に角度調節可能な第２照明部１９が設けられているため、使用者が照明装置を手で持つことができず、しかし充分な光が必要な場合に、図８に示すような第２位置を倒立させて、第２照明部１９をテーブル又は地面の支持面に置いて本体１を支えることもできる。また、図９に示すような位置で、第２照明部１９を回動させ、使用者が照明装置を把持して、同時に二つの光源から投光させることもできる。
【００２８】
本考案による照明装置は、固定ハンドルと可動ハンドルを備え、可動ハンドルを本体と並行な位置にして、使用者が固定ハンドルを簡単に把持できる方式と、また可動ハンドルを本体に対して略垂直な位置にして、使用者が可動ハンドルを把持できる方式を任意に選択でき、実際の作業環境及び場所に応じて、照明装置を使用できる。
【００２９】
第１照明部のランプは、照射可能距離は５０００ｍの超強力光源であり、本体の前端部に設置され、主に遠距離照射、捜査などに使用される。
【００３０】
第２照明部は小型スポット照明部で、可動ハンドルの尾端部に設けられ、連続照明時間は２００時間である。照明強度が特に求められず、替わりに照明時間が要求される場合に適する。第２照明部は、可動ハンドルが本体に対して回動すると同時に、可動ハンドルに対して揺動することもできる。使用者は、第２照明部を可動ハンドルに対して揺動させながら、本体に対して水平又は垂直に位置調整して、任意の角度で止めることができるため、より使用状況に適した照明角度を得ることができる。
【００３１】
第３照明部は点滅救助警報照明部で、本体の尾端部に設置され、点滅救助警報ランプが３００時間連続して点滅できる。使用者は長時間外部に救助警報信号を発することができる。
【００３２】
第４照明部は冷陰極ランプを有し、可動ハンドルの中央上面部に設けられ、使用寿命が１５０００時間の冷陰極ライトを備え、近距離で日光に近い光が求められる場合に適する。
【００３３】
以上、本考案の照明装置は、エネルギーの節約、環境に適した技術で構成されており、使い勝手がよく、目的物の捜索、多角度からの照明が求められるような作業等に非常に適し、特に、警備や消防、軍隊等危険性のある作業に有効である。夜間作業や容疑者逮捕の際に非常に有益な照明装置である。
【図面の簡単な説明】
【００３４】
【図１】本考案の一実施例を示す左側面図で、第２照明部、可動ハンドルが、装置本体と平行な状態にある。
【図２】図１の照明装置の縦断面図である。
【図３】図１の照明装置の底面図である。
【図４】図１の照明装置の平面図である。
【図５】図１の照明装置の正面図である。
【図６】図１の照明装置の背面図である。
【図７】図１の照明装置の右側面図である。
【図８】図１の照明装置の可動ハンドルが、本体に対して略垂直になっている状態を示す側面図である。
【図９】図１の照明装置の側面図であって、可動ハンドルが本体に対して略垂直状態にあって、第２照明部の位置が変化していることを示す。
【図１０】図１の照明装置の正面斜視図である。
【図１１】図１の照明装置の別の斜視図であって、本体に対して略垂直状態にある可動ハンドルと第２照明部を示す。
【図１２】図１の照明装置の背面斜視図である。
【図１３】図１の照明装置の分解斜視図である。
【図１４】図１の照明装置の側面分解斜視図で、可動ハンドルが本体の対応位置に分解して並べられている。
【図１５】図１の照明装置の第２照明部の分解斜視図である。
【符号の説明】
【００３５】
１    本体
２    第１照明部のランプ
９    電源回路
１２    可動ハンドル
１５    ハンドル切替部材
１９    第２照明部
２９    ハンドル
３０    第３照明部のランプ
３８    第４明部のランプ
【図１】
0003113144.tif 000003
【図２】
0003113144.tif 000004
【図３】
0003113144.tif 000005
【図４】
0003113144.tif 000006
【図５】
0003113144.tif 000007
【図６】
0003113144.tif 000008
【図７】
0003113144.tif 000009
【図８】
0003113144.tif 000010
【図９】
0003113144.tif 000011
【図１０】
0003113144.tif 000012
【図１１】
0003113144.tif 000013
【図１２】
0003113144.tif 000014
【図１３】
0003113144.tif 000015
【図１４】
0003113144.tif 000016
【図１５】
0003113144.tif 000017